(57)【要約】  タッチ入力部（４）と、パターン認識部（６）と、登録部（パターン登録部８）と、パターン判定部（１０）とを備える。パターン認識部では、タッチ入力から得られる少なくとも２種類の物理情報を判断要素としてパターンを認識する。パターン登録部では、認識されたパターンを登録する。パターン判定部は、認識されたパターンが、登録部にある登録パターンに合致し又は該登録パターンの近似範囲に合致する場合に、それを表す出力を発生する。
2011077525.tif 000002
【特許請求の範囲】
【請求項１】
タッチ入力部と、
タッチ入力から得られる少なくとも２種類の物理情報を判断要素としてパターンを認識するパターン認識部と、
前記パターン認識部で認識されたパターンが、登録部に予め登録されている登録パターンに合致し又は該登録パターンの近似範囲に合致する場合に、前記登録パターンに合致すること又は前記登録パターンの近似範囲に合致することを表す出力を発生するパターン判定部と、
を備えることを特徴とする電子機器。
【請求項２】
前記物理情報は、タッチ入力のポイント数、位置、速度、加速度、角度、圧力、角速度の何れか又はこれらの何れかを含むことを特徴とする請求項１記載の電子機器。
【請求項３】
前記パターン認識部は、２種類以上の前記物理情報の論理積を判断要素とし、該判断要素によりパターンを認識することを特徴とする請求項１記載の電子機器。
【請求項４】
更に、前記パターン判定部の判定出力によりロックを解除するロック機能部、前記パターン判定部の判定出力によりアプリケーションを起動させるアプリケーション起動部、前記パターン判定部の判定出力により通話を終了させる終話機能部、又は前記パターン判定部の判定出力によりウェブサイトにログインさせるログイン機能部の何れかひとつを備えることを特徴とする請求項１記載の電子機器。
【請求項５】
タッチ入力部を搭載した電子機器が実行する操作検出方法であって、
タッチ入力から得られる少なくとも２種類の物理情報を判断要素としてパターンを認識するステップと、
認識されたパターンが、登録部に予め登録されている登録パターンに合致し又は該登録パターンの近似範囲に合致する場合に、前記登録パターンに合致すること又は前記登録パターンの近似範囲に合致することを表す出力を発生するステップと、
を含むことを特徴とする電子機器の操作検出方法。
【請求項６】
タッチ入力部を搭載した電子機器によって実行される操作検出プログラムであって、
タッチ入力から得られる少なくとも２種類の物理情報を判断要素としてパターンを認識する機能と、
認識されたパターンが、登録部に予め登録されている登録パターンに合致し又は該登録パターンの近似範囲に合致する場合に、前記登録パターンに合致すること又は前記登録パターンの近似範囲に合致することを表す出力を発生する機能と、
を含むことを特徴とする電子機器の操作検出プログラム。
【発明の詳細な説明】
【技術分野】
【０００１】
本発明は、携帯端末装置等、タッチパネルを搭載した電子機器の操作検出に関し、例えば、タッチ入力から得られる複数の物理要素で操作パターンを特定する電子機器、操作検出方法及び操作検出プログラムに関する。
【背景技術】
【０００２】
タッチパネルを搭載した携帯端末装置では、タッチパネルに対する指やタッチペンのタッチ操作により文字、図形の入力、選択入力等、各種の入力が行える。【０００３】
この種の携帯端末装置にあって、タッチパネルのキー入力モードを誤操作防止モードに切り替え、キー入力による終話操作を無効にする制御が知られている（特許文献１）。
【先行技術文献】
【特許文献】
【０００４】
【特許文献１】特開２００５−２６９５６７号公報
【発明の概要】
【発明が解決しようとする課題】
【０００５】
タッチパネルが搭載された携帯端末装置では、通話中、耳がタッチパネルにタッチすることを認識して通話をロック状態にし、通話解除を禁止することができる。このロック状態は携帯端末装置にあるロック解除ボタンの押下により解除できるとともに、通話中、終話ボタンの操作を無効とする。即ち、終話ボタン操作の無効化は不用意な終話を防止ためである。このため、終話の実行には、ロック解除後、終話ボタンの操作が必要であり、不便である。【０００６】
また、ロック解除に用いるロック解除ボタンを設置すれば、その操作や制御が必要である。そこで、タッチパネルにロック機能とともに、ロック解除ボタンに代わる簡易なタッチ操作が割り当てられると、不用意なタッチでロック解除されるという不都合がある。【０００７】
そこで、本開示の電子機器、操作検出方法及び操作検出プログラムの目的は、少なくとも２種類の物理情報を判断要素に用いてタッチ入力の識別性を高め、タッチ操作の利便性を向上させることにある。
【課題を解決するための手段】
【０００８】
上記目的を達成するため、本開示の電子機器は、タッチ入力部と、パターン認識部と、パターン判定部とを備える。前記タッチ入力部は、指やタッチペン等によりタッチやストロークによって入力する手段である。前記パターン認識部は、タッチ入力から得られる少なくとも２種類の物理情報を判断要素としてパターンを認識する。前記パターン判定部は、前記パターン認識部で認識されたパターンが、登録部に予め登録されている登録パターンに合致し又は該登録パターンの近似範囲に合致する場合に、前記登録パターンに合致すること又は前記登録パターンの近似範囲に合致することを表す出力を発生する。【０００９】
また、上記目的を達成するため、本開示の操作検出方法は、タッチ入力部を搭載した電子機器が実行する操作検出方法であって、パターン認識ステップと、パターン判定ステップとを含む。前記パターン認識ステップは、タッチ入力から得られる少なくとも２種類の物理情報を判断要素としてパターンを認識する。前記パターン判定ステップは、認識されたパターンが、登録部に予め登録されている登録パターンに合致し又は該登録パターンの近似範囲に合致する場合に、前記登録パターンに合致すること又は前記登録パターンの近似範囲に合致することを表す出力を発生する。【００１０】
また、上記目的を達成するため、本開示の操作検出プログラムは、タッチ入力部を搭載した電子機器によって実行される操作検出プログラムであって、パターン認識機能と、パターン判定機能とを含む。前記パターン認識機能は、タッチ入力から得られる少なくとも２種類の物理情報を判断要素としてパターンを認識する。前記パターン判定機能は、認識されたパターンが、登録部に予め登録されている登録パターンに合致し又は該登録パターンの近似範囲に合致する場合に、前記登録パターンに合致すること又は前記登録パターンの近似範囲に合致することを表す出力を発生する。
【発明の効果】
【００１１】
本開示の電子機器、操作検出方法又は操作検出プログラムによれば、次のような効果が得られる。【００１２】
(1) タッチ入力から得られる少なくとも２種類の物理情報を判断要素に用いてタッチ入力のパターンを特定するので、タッチ入力の識別性が高められ、タッチ操作の利便性を向上させることができる。【００１３】
(2) タッチ入力から得られる少なくとも２種類の物理情報を判断要素としてパターンを認識し生成させるので、人の無意識操作によるタッチ入力の影響を排除ないし軽減できる。【００１４】
(3) 少なくとも２種類の物理情報を判断要素として生成させたパターンを用いるので、ロック解除、終話処理、アプリ起動、ウェブサイトへのログイン等の処理精度やセキュリティが高められる。
【００１５】
そして、本発明の他の目的、特徴及び利点は、添付図面及び各実施の形態を参照することにより、一層明確になるであろう。
【図面の簡単な説明】
【００１６】
【図１】第１の実施の形態に係る電子機器の一例を示す図である。
【図２】タッチ入力のパターン登録及びパターン判定の処理手順を示すフローチャートである。
【図３】第２の実施の形態に係る携帯端末装置の機能部の一例を示す図である。
【図４】第２の実施の形態に係る携帯端末装置のハードウェア構成の一例を示す図である。
【図５】タッチパネル部側から見た携帯端末装置を示す図である。
【図６】圧力センサ部を備える携帯端末装置を示す図である。
【図７】タッチパネル部の構成例を示す図である。
【図８】タッチパネル部に対するタッチ入力を示す図である。
【図９】タッチパネル部のタッチ検出を示す図である。
【図１０】タッチ入力の位置検出の処理手順を示すフローチャートである。
【図１１】タッチ入力の加速度算出の処理手順を示すフローチャートである。
【図１２】タッチ入力の圧力算出の処理手順を示すフローチャートである。
【図１３】角速度算出の処理手順を示すフローチャートである。
【図１４】ロック設定の処理手順を示すフローチャートである。
【図１５】パターン登録の処理手順を示すフローチャートである。
【図１６】ロック解除の処理手順を示すフローチャートである。
【図１７】ロック解除の処理手順を示すフローチャートである。
【図１８】終話設定の処理手順を示すフローチャートである。
【図１９】パターン登録の処理手順を示すフローチャートである。
【図２０】終話の処理手順を示すフローチャートである。
【図２１】終話の処理手順を示すフローチャートである。
【図２２】第３の実施の形態に係るロック設定の処理手順を示すフローチャートである。
【図２３】タッチ入力の入力操作を示す図である。
【図２４】タッチ入力を示す図である。
【図２５】タッチ入力の他の入力操作を示す図である。
【図２６】他のタッチ入力を示す図である。
【図２７】タッチ入力の加速度変化を示す図である。
【図２８】タッチ入力の角度範囲を示す図である。
【図２９】タッチ入力の圧力変化を示す図である。
【図３０】タッチ入力の他の入力操作を示す図である。
【図３１】他のタッチ入力を示す図である。
【図３２】ロック解除の処理手順を示すフローチャートである。
【図３３】第４の実施の形態に係る終話の処理手順を示すフローチャートである。
【図３４】終話時の問い合わせ表示及び選択ボタンの表示例を示す図である。
【図３５】終話の表示例を示す図である。
【図３６】第５の実施の形態に係るアプリケーションの起動設定の処理手順を示すフローチャートである。
【図３７】パターン登録の処理手順を示すフローチャートである。
【図３８】アプリケーションの起動の処理手順を示すフローチャートである。
【図３９】アプリケーションの起動の具体的な処理手順を示すフローチャートである。
【図４０】第６の実施の形態に係るウェブサイトのログイン設定の処理手順を示すフローチャートである。
【図４１】パターン登録の処理手順を示すフローチャートである。
【図４２】ウェブサイトのログインの処理手順を示すフローチャートである。
【図４３】ウェブサイトのログインの具体的な処理手順を示すフローチャートである。
【図４４】第７の実施の形態に係るロック設定の処理手順を示すフローチャートである。
【図４５】携帯端末装置の比較例を示す図である。
【図４６】比較例である終話の処理手順を示すフローチャートである。
【図４７】他の実施の形態に係るパーソナルコンピュータの一例を示す図である。
【図４８】他の実施の形態に係る携帯電話機の一例を示す図である。
【図４９】他の実施の形態に係るリモートコントローラの一例を示す図である。
【発明を実施するための形態】
【００１７】
〔第１の実施の形態〕
【００１８】
第１の実施の形態は、タッチ入力から得られる少なくとも２種類の物理情報を判断要素としてタッチ入力のパターンを認識し、登録パターン又は該登録パターンの近傍範囲に入力パターンが合致するか否かを判定している。ここで、タッチ入力は、タッチ入力部に対するタッチ又はそのストロークによる入力を含む。判断要素である物理情報は、タッチのポイント数、位置、速度、加速度、角度、圧力、角速度の何れかである。パターンには、タッチ入力として例えば、タッチ又はそのストロークから既述の判断要素を以て特定されるポイント、線又は図形が含まれ、線は、連続又は不連続であってもよく、曲線であってもよい。このようなタッチ入力から得られる既述の物理情報を判断要素とすることにより、ユーザの無意識での操作（ストローク）によるタッチ入力を排除し、無意識操作での誤動作の軽減又は防止が図られる。
【００１９】
この第１の実施の形態について、図１を参照する。図１は、第１の実施の形態に係る電子機器を示す図である。図１の構成は一例であって、本発明は斯かる構成に限定されるものではない。
【００２０】
この電子機器２は、本開示の電子機器、操作検出方法又は操作検出プログラムの一例であって、図１に示すように、機能部としてタッチ入力部４と、パターン認識部６と、パターン登録部８と、パターン判定部１０とを備えている。
【００２１】
タッチ入力部４は、タッチ入力手段として例えば、指やタッチペン（例えば、スタイラスペン）によるタッチを受け付け、そのポイントやそのストロークの入力を電子情報に変換する。タッチポイントは、指やタッチペンによるタッチ位置であり、タッチ入力部４に設定された認識可能なポイント又はその線（ポイントの集合であってもよい。）である。ストロークは例えば、所定圧力以上のタッチ操作であり、連続するタッチポイントの移動（軌跡）である。
【００２２】
パターン認識部６は、タッチ入力部４に対するタッチ入力から得られる既述の物理情報を判断要素としてタッチ入力のパターンを認識する機能部である。ここで、判断要素の物理情報は既述の通りである。この物理情報において、既述のポイント数は例えば、ストロークを構成する所定圧力以上のタッチポイントの数である。位置は例えば、座標上のタッチポイントの位置、タッチポイントの軌跡位置である。角度は例えば、座標上の軌跡の角度である。速度は例えば、座標上のタッチポイントの移動速度である。加速度は例えば、座標上のタッチポイントの移動における加速度である。角速度は例えば、座標上のタッチポイントの軌跡における角速度である。また、圧力は例えば、所定値（閾値）以上の押圧力である。
【００２３】
パターン登録部８は、パターン認識部６で認識されたパターンを登録する機能部である。登録されるパターンは、既述の物理情報の少なくとも２種類又は２種類以上を判断要素としているから、例えば、ポイント数と位置、ポイント位置と角度、ポイント位置と速度等、各種の組み合わせがある。登録されるパターンは、タッチ入力から特定されるパターンであって、タッチ入力そのものでもよいし、タッチ入力から特定されたパターンに幅を持たせ、特定されたパターンの近似範囲にあるパターンであってもよい。
【００２４】
パターン判定部１０は、入力パターンが登録パターンに合致するか否かを判定する機能部である。即ち、このパターン判定部１０では、パターン認識部６で認識されたパターンが、パターン登録部８にある登録パターンに合致するか否かを判定する。この場合、判定対象としては、その登録パターンと近似範囲に入力パターンが合致するかを判定してもよい。そこで、入力パターンが登録パターンに合致するかを判定し、又はその近似範囲に合致するかを判定し、合致する場合には、それを表す出力を発生する。
【００２５】
斯かる構成によれば、タッチ入力部４のタッチ入力により、パターン認識部６は、既述の判断要素によってパターンを認識し、パターン登録部８には、パターン認識部６で認識されたパターンが登録される。
【００２６】
そこで、タッチ入力部４のタッチ入力から入力パターンが認識され、その入力パターンがパターン登録部８にある登録パターン又はその近似範囲に合致しているかを判定し、その判定結果を表す判定出力が得られる。
【００２７】
そこで、このパターンの登録及び判定について、図２を参照する。図２は、パターンの処理手順を示すフローチャートである。
【００２８】
このパターンの処理手順は、本開示の操作検出方法又は操作検出プログラムの一例であって、図２に示すように、タッチ入力（ステップＳ１）、パターン認識（ステップＳ２）、パターン登録の有無判定（ステップＳ３）、パターン登録（ステップＳ４）、パターン判定（ステップＳ５）、判定出力の生成（ステップＳ６）を含んでいる。
【００２９】
そこで、この処理手順では、タッチ入力部４でタッチ入力を検出し（ステップＳ１）、パターン認識部６がタッチ入力から得られる既述の物理情報を判断要素としてパターンを認識する（ステップＳ２）。
【００３０】
このパターン認識の後、パターン登録部８にパターンの登録があるかを判定する（ステップＳ３）。パターン登録がなければ（ステップＳ３のＮＯ）、認識されたパターンをパターン登録部８に登録し（ステップＳ４）、この処理を終了する。この場合、登録されるパターンは、タッチ入力から得られたパターンであればよく、そのパターンに近似する近似範囲にあるパターンを登録してもよい。
【００３１】
また、パターン登録があれば（ステップＳ３のＹＥＳ）、タッチ入力から認識された入力パターンが登録パターンに合致するかを判定する（テップＳ５）。この場合、入力パターンが登録パターンの近似範囲を含めて合致するか否かを判定してもよい。パターン判定部１０は、入力パターンが登録パターン又はその近似範囲に合致するか、合致しないかの判定結果を表す判定出力を生成し（ステップＳ６）、出力する。
【００３２】
以上の構成によれば、タッチ入力から得られる少なくとも２種類の物理情報を判断要素に用いてタッチ入力のパターンを生成させ、その登録パターンと入力パターンとを対比している。この結果、タッチ入力の識別性が高められ、タッチ操作の利便性を向上させることができる。
【００３３】
タッチ入力から得られる既述の物理情報を判断要素としてパターンを認識し、生成させている。これにより、ユーザの無意識操作によるタッチ入力の影響を軽減できる。
【００３４】
また、既述の物理情報を判断要素として生成させたパターンを用いている。そこで、ロック解除、終話処理、アプリ起動、ＷＷＷ（World Wide Web）のサイトへのログイン等に利用でき、その処理精度やセキュリティを高めることができる。
【００３５】
〔第２の実施の形態〕
【００３６】
第２の実施の形態は、タッチパネル部を搭載した携帯端末装置である。この携帯端末装置は、タッチ入力から得られる既述の物理情報を判断要素としてタッチ入力のパターンを認識し、登録パターン又は該登録パターンの近傍範囲に入力パターンが合致するか否かを判定する機能を有する構成である。
【００３７】
この第２の実施の形態について、図３を参照する。図３は、携帯端末装置の機能部の一例を示す図である。図３に示す構成は一例であって、本発明は斯かる構成に限定されるものではない。図３において、図１と同一部分には同一符号を付してある。
【００３８】
この携帯端末装置２０は本開示の電子機器、操作検出方法又は操作検出プログラムの一例である。この携帯端末装置２０には、図３に示すように、パターン判定部１０と、パターン認識部１６と、タッチ検出部２２と、位置検出部２４と、加速度算出部２６と、圧力算出部２８と、角速度算出部３０と、パターン登録制御部３２と、通信制御部３４と、音声入出力制御部３６と、表示制御部３８と、ロック制御部４０とを備え、これらはコンピュータの処理（演算、判定及び各種制御）によって実現される機能部である。
【００３９】
パターン判定部１０は既述の通りである。パターン認識部１６は、タッチ検出部２２に検出されたタッチ入力から得られる既述の物理情報を判断要素としてタッチ入力のパターンを認識する。この実施の形態において、物理情報の判断要素は以下の通りである。
【００４０】
(1) タッチパネル部５６（図４）上にタッチしたポイント数（図８、図９、図２５、図２６の例ではポイント数は１、図２３、図２４、図２８の例ではポイント数は２である。）
(2) ポイントの位置（座標位置Ｘ、Ｙ）
(3) ポイントを動かす速度、加速度、角度
(4) 指又はタッチペンでタッチパネル部５６（図４）を押す圧力
【００４１】
タッチ検出部２２は、タッチパネル部５６（図４）に対するタッチ入力として例えば、指やタッチペンによるタッチやストロークを検出し、物理情報としてタッチ情報を得る。
【００４２】
位置検出部２４は、タッチパネル部５６（図４）に対する指やタッチペンのタッチ位置、ストローク位置、角度等を検出し、物理情報（位置情報）を得る。
【００４３】
加速度算出部２６は、タッチパネル部５６（図４）に対する指やタッチペンのタッチ入力の位置情報から、物理情報として加速度を算出する。
【００４４】
圧力算出部２８は、タッチパネル部５６（図４）に対する指やタッチペンのタッチ位置の圧力を算出する。即ち、タッチパネル部５６が受けるタッチ位置の圧力を算出し、物理情報として圧力を得る。
【００４５】
角速度算出部３０は、携帯端末装置２０の角速度を算出し、物理情報である角速度情報を出力する。
【００４６】
パターン登録制御部３２は、既述のパターン認識部１６で認識されたパターンの登録を制御する。この場合、登録するパターンは、タッチ入力から認識されたパターンの近似範囲にあるパターンを登録してもよい。既述のパターン認識部１６は、タッチ検出部２２、位置検出部２４、加速度算出部２６、圧力算出部２８又は角速度算出部３０から得られる少なくとも２種類の物理情報を用いてタッチ入力のパターンを認識する。認識されたパターンが登録され、又は登録パターンとの対比に用いられる。
【００４７】
通信制御部３４は、無線通信や音声通話を制御し、入力パターンが登録パターンに合致すれば、その判定出力に応じて発呼制御や終話制御をする。
【００４８】
音声入出力制御部３６は音声信号の出力や、音声入力の取込みを制御する。
【００４９】
表示制御部３８は表示部４８（図４）に対する文字や画像の表示を制御する。
【００５０】
ロック制御部４０は、携帯端末装置２０の機能のロックや、タッチ入力が適正であれば、そのロック解除を制御する機能部を構成する。
【００５１】
次に、この携帯端末装置のハードウェアについて、図４、図５及び図６を参照する。図４は、携帯端末装置のハードウェア構成例を示す図、図５は、タッチパネル部側から見た携帯端末装置を示す図、図６は、圧力センサ部を備える携帯端末装置を示す図である。図４、図５及び図６に示す構成は一例であって、本発明は斯かる構成に限定されるものではない。図４、図５及び図６において、図３と同一部分には同一符号を付してある。
【００５２】
この携帯端末装置２０は、既述の機能部（図３）を実現するハードウェアを備えており、図４に示すように、プロセッサ４２と、センサ部４４と、入力部４６と、表示部４８と、音声入出力部５０と、通信部５２と、記憶部５４とを備える。
【００５３】
プロセッサ４２は、記憶部５４にあるＯＳ（Operating System）やアプリケーションプログラムを実行し、センサ部４４からの検出情報の取り込み等の入力制御、各種情報の検出、演算、表示制御、通信制御等を実行する。既述の機能部（図３）は、このプロセッサ４２によって実現される。このプロセッサ４２は、パターン判定により、アプリケーションを起動させるアプリケーション起動部を構成する。また、プログラム記憶部７２にあるアプリケーションを起動させるアプリケーション起動部を構成する。
【００５４】
センサ部４４は、タッチパネル部５６と、圧力センサ部５８と、加速度センサ部６０と、位置センサ部６２と、角速度センサ部６４とを備える。タッチパネル部５６は、表示部４８の前面部に設置され、指やタッチペンによるタッチ入力を検出する。圧力センサ部５８は、タッチパネル部５６に指やタッチペンによって加えられる圧力を検出する。加速度センサ部６０は、指やタッチペンのタッチ入力から検出される加速度情報を出力する。位置センサ部６２は、指やタッチペンのタッチ入力から検出される位置情報（座標情報）を出力する。角速度センサ部６４は、携帯端末装置２０の角速度を検出し、その角速度情報を出力する。
【００５５】
入力部４６は、プロセッサ４２の制御により、センサ部４４のセンサ情報をプロセッサ４２に入力する。
【００５６】
表示部４８は、タッチパネル部５６の背後に設置され、プロセッサ４２の制御により、タッチパネル部５６に割り当てられた入力ボタンの表示や、出力情報を表示する。
【００５７】
音声入出力部５０は、音声入力手段としてマイクロフォン６６、音声出力手段としてレシーバ６８を備え、プロセッサ４２の制御により、マイクロフォン６６から音声を取り込み、レシーバ６８から音声を再生する。
【００５８】
通信部５２は、アンテナ７０を備え、プロセッサ４２の制御により、無線基地局との通信を実行する。この通信部５２はプロセッサ４２とともに、パターン判定に基づき、通話を終了させる終話機能部や、ウェブサイトへログインさせるログイン機能部を構成している。
【００５９】
記憶部５４は、プログラム記憶部７２と、データ記憶部７４と、ＲＡＭ（Random-Access Memory）７６とを備える。プログラム記憶部７２は、既述のＯＳやアプリケーションプログラムを格納し、アプリケーションプログラムには例えば、操作検出プログラム、ロックプログラム、ロック解除プログラム等がある。データ記憶部７４にはパターン登録部が備えられ、このパターン登録部に入力パターンの対比対象であるパターンが登録される。ＲＡＭ７６は、入力ストロークから認識されるパターンの登録や判定等の各種処理のワークエリアを構成する。
【００６０】
この携帯端末装置２０には図５に示すように、筐体７８の前面部に表示部４８とともにタッチパネル部５６が設置されている。筐体７８には表示部４８を挟んでマイクロフォン６６と、レシーバ６８とが設置されている。
【００６１】
タッチパネル部５６の背面側には図６に示すように、圧力センサ部５８が設置されている。タッチパネル部５６の上面に指８０の腹部をタッチさせ、タッチパネル部５６を介して圧力Ｐを加えると、その圧力Ｐが圧力センサ部５８に検出される。この検出出力は、圧力情報を表す電気信号として出力され、そのレベルが圧力レベルを表す。
【００６２】
次に、タッチパネル部及びタッチ入力について、図７、図８及び図９を参照する。図７は、タッチパネル部を示す図、図８は、タッチパネル部とポイント移動を示す図、図９は、ポイント移動を検知した検出ポイントを表す図である。
【００６３】
タッチパネル部５６のパネル面８２には、図７に示すように、複数行、複数列のアドレスが設定され、この実施の形態では１２行、１０列の検出ポイント８４が設定されている。即ち、１２行、１０列の検出ポイント８４が位置センサ６２の一例を構成する。アルファベットａ、ｂ・・・ｌが行（Ｘ座標）を表し、数字１、２・・・１０が列（Ｙ座標）を表している。
【００６４】
そこで、このタッチパネル部５６のパネル面８２に対し、図８に示すように、指又はタッチペンを用いたタッチ入力の一例として螺旋状のストローク８６が描かれ、これによって、ポイント軌跡８８が生成される。この場合、ストローク８６は、ユーザが無意識で行わない入力操作の一例である。
【００６５】
このストローク８６は、タッチパネル部５６の右上部を始点９０とし、この始点９０から中央部に向かって曲線状に移動し、中央部で周回部９２を成すとともに、クロス部９４を形成し、このクロス部９４から左下部に曲線状に移動し、左下で終点９６を形成している。このポイント軌跡８８は、ポイント９ｂを始点９０に、ポイント８ｂ−７ｂ−７ｃ−６ｃ−５ｃ−５ｄ−４ｄ−３ｅに至り、ポイント３ｅを変曲点として、ポイント４ｅ−４ｆ−４ｇ−５ｇ−６ｇ−７ｇ−７ｆに至り、ポイント７ｆを変曲点として、ポイント７ｅ−６ｅ−５ｅ−５ｆ−４ｆに至り、このポイント４ｆでポイント軌跡８８がクロスし、ポイント４ｆから４ｇ−３ｇ−３ｈ−２ｉ−２ｊ−２ｋ−２ｌに至り、ポイント２ｌが終点９６である。即ち、ポイント軌跡８８は、パネル面８２の右上方角部側を起点とし、左下方角部側に向かう対角線上に記され、中間部に周回部９２とともに、クロス部９４を形成している。
【００６６】
そして、ストローク８６に対応するポイント軌跡８８は、図９に示すように、パネル面８２の連続した複数の検出ポイント列によって検出される。即ち、ポイント軌跡８８は、検出ポイント９ｂ−８ｂ−７ｂ−７ｃ−６ｃ−５ｃ−５ｄ−４ｄ−３ｅ−４ｅ−３ｆ−４ｆ−５ｇ−６ｇ−７ｇ−７ｆ−７ｅ−６ｅ−５ｅ−５ｆ−４ｆ−４ｇ−３ｇ−３ｈ−２ｈ−２ｉ−２ｊ−２ｋ−２ｌで検出されている。このポイント軌跡８８において、検出ポイント４ｆでは、時間差Δｔを以て、２回の検出が行われており、この検出を以て、始点９０から終点９６に至るポイント軌跡８８上にクロス部９４が存在していることが判る。
【００６７】
ストローク８６に対応するポイント軌跡８８がパターン９８を構成する。即ち、タッチ入力のストローク８６がポイント軌跡８８の集合体としてパターン９８が認識される。そして、このパターン９８を包囲する複数の検出ポイント６ａ、７ａ、８ａ、９ａ、１０ａ、４ｂ、５ｂ、６ｂ、１０ｂ、３ｃ、４ｃ、８ｃ、９ｃ、１０ｃ、２ｄ、３ｄ、６ｄ、７ｄ、８ｄ、２ｅ、８ｅ、２ｆ、６ｆ、８ｆ、１ｇ、２ｇ、８ｇ、１ｈ、４ｈ、５ｈ、６ｈ、７ｈ、８ｈ、１ｉ、３ｉ、４ｉ、１ｊ、３ｊ、１ｋ、３ｋ、１ｌ、３ｌより、パターン９８に対する近似範囲のパターン１００が形成される。この場合、パターン９８は斜線で表され、パターン１００は太い実線からなる包囲線で示している。
【００６８】
斯かる構成とすれば、無意識で操作されないストローク８６をタッチ入力の判断要素の物理情報であるタッチ位置、タッチポイントを用いてパターン９８を認識することができる。また、パターン９８の周囲の一つの既述の検出ポイント６ａ〜３ｌの範囲及び周回部９２の内側にある検出ポイント（この場合、検出ポイント６ｆも含む）を以て近傍範囲であるパターン１００を認識することができる。これらパターン９８又はパターン１００を登録すればよい。
【００６９】
次に、タッチ入力の位置検出、加速度算出、圧力算出及び角速度算出について、図１０、図１１、図１２及び図１３を参照する。図１０は、位置検出の処理手順を示すフローチャート、図１１は、加速度算出の処理手順を示すフローチャート、図１２は、圧力算出の処理手順を示すフローチャート、図１３は、角速度算出の処理手順を示すフローチャートである。
【００７０】
タッチ入力の位置検出の処理手順は、タッチパネル部５６上のタッチの位置や軌跡を検出し、その位置や軌跡を表す位置情報を出力する処理である。
【００７１】
この処理手順は、図１０に示すように、指やタッチペンでタッチパネル部５６をタッチする（ステップＳ１１１）。タッチパネル部５６上のタッチ位置を表す座標軸であるＸ軸及びＹ軸の位置情報を検出し（ステップＳ１１２）、タッチ入力の判断要素である位置情報を出力する（ステップＳ１１３）。
【００７２】
次に、タッチ入力の加速度算出の処理手順は、タッチパネル部５６上のタッチの位置や軌跡を表す位置情報から加速度を算出する処理である。
【００７３】
この処理手順は、図１１に示すように、タッチパネル部５６に対する指やタッチペンの接触及びその位置を監視する（ステップＳ１２１）。指やタッチペンがタッチパネル部５６にタッチしていれば（ステップＳ１２１のＹＥＳ）、タッチパネル部５６のタッチ位置を表すＸ軸及びＹ軸の位置情報を検出する（ステップＳ１２２）。その位置情報が変化しているかを監視する（ステップＳ１２３）。位置情報が変化していれば（ステップＳ１２３のＹＥＳ）、タッチパネル部５６のタッチ位置を表すＸ軸及びＹ軸の位置情報を検出する（ステップＳ１２４）。その位置情報をから加速度を算出し（ステップＳ１２５）、タッチ入力の判断要素である加速度を出力する（ステップＳ１２６）。
【００７４】
タッチパネル部５６上のタッチ位置を表すＸ軸及びＹ軸の位置情報が変化していなければ（ステップＳ１２３のＮＯ）、加速度の算出はなく、この処理を終了する。
【００７５】
次に、タッチ入力の圧力算出の処理手順は、タッチパネル部５６上のタッチの位置や軌跡を検出し、その位置や軌跡を表す圧力を出力する処理である。
【００７６】
この処理手順は、図１２に示すように、タッチパネル部５６に対する指やタッチペンの接触及びその位置を監視する（ステップＳ１３１）。タッチパネル部５６に接触している部分の圧力を算出し（ステップＳ１３２）、タッチ入力の判断要素である圧力を出力する（ステップＳ１３３）。この実施の形態では、ステップＳ１３３で、算出した圧力を出力するかについて判断し、出力しない場合にはステップＳ１３１に復帰しているが、このような判断をすることなく、出力してもよい。
【００７７】
次に、タッチ入力の角速度算出の処理手順は、携帯端末装置の移動を監視し、その角速度を算出する処理である。
【００７８】
この処理手順は、図１３に示すように、携帯端末装置２０が静止しているかを監視し（ステップＳ１４１）、携帯端末装置２０が静止していなければ（ステップＳ１４１のＮＯ）、その移動から携帯端末装置２０の角速度を算出する（ステップＳ１４２）。また、携帯端末装置２０が静止していれば（ステップＳ１４１のＹＥＳ）、携帯端末装置２０の角速度Ｖθは零（Ｖθ＝０）である（ステップＳ１４３）。
【００７９】
そして、判断要素である物理情報として角速度Ｖθ又はＶθ＝０を出力する（ステップＳ１４４）。
【００８０】
斯かる構成によれば、タッチ入力の判断要素である物理情報として、タッチ位置、加速度、圧力、角速度が得られ、これらの物理情報からタッチ入力のパターンを認識することができる。
【００８１】
次に、携帯端末装置のロック設定について、図１４を参照する。図１４は、ロック設定の処理手順を示すフローチャートである。
【００８２】
このロック設定の処理手順は、ロック設定にタッチパネル部５６に対するタッチ入力から得られる既述の物理情報を判断要素としてタッチ入力のパターンを認識し、その登録パターンを解除情報として設定する。
【００８３】
そこで、この処理手順では、図１４に示すように、ロック設定かを判定し（ステップＳ２０１）、ロック設定でなければ（ステップＳ２０１のＮＯ）、この処理を終了する。
【００８４】
ロック設定であれば（ステップＳ２０１のＹＥＳ）、パターン登録モードを起動し、パターン登録を行う（ステップＳ２０２）。パターンを登録したかを判定し（ステップＳ２０３）、パターン登録をしなければ（ステップＳ２０３のＮＯ）、この処理を終了する。また、パターン登録をすれば（ステップＳ２０３のＹＥＳ）、ロック設定を実行する（ステップＳ２０４）。このロック設定は、タッチ入力によるパターン登録が関係付けられているので、その解除には登録パターンと入力パターンとが合致することが必要である。
【００８５】
次に、パターン登録の処理について、図１５を参照する。図１５は、登録時の処理手順を示すフローチャートである。
【００８６】
このパターン登録の処理手順は、機能ロック等の設定に際し、タッチパネル部５６に対するタッチ入力のパターンを登録する処理である。登録されたパターンは、ロック解除のためのユーザ認証の処理に用いられる。
【００８７】
この処理手順は、図１５に示すように、タッチパネル部５６上の指が置かれたポイントを表すＸ軸及びＹ軸の位置情報を検出する（ステップＳ２１１）。ポイントの位置がどの範囲に該当するかを判断する（ステップＳ２１２）。指やタッチペンからの圧力を算出する（ステップＳ２１３）。ポイントの移動を監視する（ステップＳ２１４）。ポイントの移動があれば（ステップＳ２１４のＹＥＳ）、ポイントの位置距離移動より、そのポイント移動の加速度を算出する、又は、ポイントの移動速度を算出する（ステップＳ２１５）。
【００８８】
そして、この場合、タッチ入力の位置情報、圧力、加速度によってパターンを生成させ（ステップＳ２１６）、このパターンをパターン登録部に登録し（ステップＳ２１７）、メインルーティン（図１４）のステップＳ２０２に戻る。そして、ロック設定が実行される。
【００８９】
次に、ロック解除の処理について、図１６を参照する。図１６は、ロック解除の処理手順を示すフローチャートである。
【００９０】
このロック解除の処理手順は、ロック解除情報として登録パターンが存在する場合のロック解除の処理である。
【００９１】
この処理手順では、図１６に示すように、ロックを解除するかの判定を行い（ステップＳ２２１）、ロック解除でなければ（ステップＳ２２１のＮＯ）、この処理を終了する。ロック解除であれば（ステップＳ２２１のＹＥＳ）、既述のタッチ入力を行う（ステップＳ２２２）。このタッチ入力から得られる既述の物理情報を判断要素としてタッチ入力のパターンを認識する。
【００９２】
タッチ入力によって得られた入力パターンが登録パターンに合致するかの判定が行われる（ステップＳ２２３）。入力パターンが登録パターンに合致した場合には（ステップＳ２２３のＹＥＳ）、ロック解除が行われ（ステップＳ２２４）、入力パターンが登録パターンに合致しなければ（ステップＳ２２３のＮＯ）、ロック解除不可となる（ステップＳ２２５）。この場合、入力パターンと登録パターンとの合致判定は、登録パターンに近似範囲を含んで判断してもよいことは既述の通りである。
【００９３】
そこで、このロック解除の処理について、図１７を参照する。図１７は、ロック解除の具体的な処理手順の一例を示すフローチャートである。
【００９４】
この処理手順では、ロック解除の場合、図１７に示すように、タッチパネル部５６上に指やタッチペンの置かれたポイントの位置（Ｘ、Ｙ）を算出する（ステップＳ２３１）。この場合、入力パターンが登録パターンに合致するかの第１の判断として、ポイントの位置が座標範囲（１ａ〜１０ｌ）のどの部分に該当するかを判断する（ステップＳ２３２）。即ち、登録時のポイントの位置の前後左右の範囲に入るかどうかを判定する（ステップＳ２３３）。例えば、登録時がポイント９ｂ部分の場合、ポイント８ａ〜１０ａ、８ｂ〜１０ｂ、８ｃ〜１０ｃに当てはまるかを判定する。この判定において、ポイントの位置の座標範囲に該当しなければ（ステップＳ２３３のＮＯ）、ロック解除不可となる（ステップＳ２３４）。
【００９５】
この判定において、ポイントの位置の座標範囲に該当すれば（ステップＳ２３３のＹＥＳ）、入力パターンが登録パターンに合致するかの第２の判断として、圧力について、登録パターンと比較し、判定する（ステップＳ２３５）。例えば、登録時のポイントの圧力を○○〔Ｎ〕とすると、その圧力が所定の圧力範囲として例えば、○○〔Ｎ〕×０．８〜○○〔Ｎ〕×１．２の範囲にあるかを判定する（ステップＳ２３６）。この圧力判定において、所定の圧力範囲に該当しなければ（ステップＳ２３６のＮＧ）、ロック解除不可となる（ステップＳ２３７）。
【００９６】
このような圧力判定が所定の圧力範囲にあれば（ステップＳ２３６のＯＫ）、ポイントの移動を監視する（ステップＳ２３８）。ポイントの移動があれば（ステップＳ２３８のＹＥＳ）、ポイントの位置距離移動から加速度を算出し、この加速度について、登録パターンと比較し、判定する（ステップＳ２３９）。例えば、登録時のポイントの加速度が△△〔ｃｍ／ｓ2 〕であれば、その加速度が所定の範囲として例えば、△△〔Ｎ〕×０．８〜△△〔Ｎ〕×１．２の範囲に該当するかを判定する（ステップＳ２４０）。この加速度が所定の範囲外であれば（ステップＳ２４０のＮＧ）、ロック解除不可となる（ステップＳ２４１）。
【００９７】
また、この加速度が所定の範囲内であれば（ステップＳ２４０のＯＫ）、ロック解除となり（ステップＳ２４２）、この処理を終了する。
【００９８】
このようにタッチ入力から得られる既述の物理情報を判断要素として認識されるパターンを用いることにより、ロック設定及びロック解除を行えば、ユーザの無意識の操作によるロック解除を防止できる。また、セキュリティを高めることができる。
【００９９】
次に、終話設定の処理について、図１８を参照する。図１８は、終話設定の処理手順を示すフローチャートである。
【０１００】
この終話設定の処理手順は、終話処理にタッチパネル部５６に対するタッチ入力から得られる既述の物理情報を判断要素としてタッチ入力のパターンを認識し、その登録パターンを終話情報として設定する。
【０１０１】
そこで、この処理手順では、図１８に示すように、終話設定かを判定し（ステップＳ３０１）、終話設定でなければ（ステップＳ３０１のＮＯ）、この処理を終了する。
【０１０２】
終話設定であれば（ステップＳ３０１のＹＥＳ）、パターン登録モードを起動し、パターン登録を行う（ステップＳ３０２）。パターン登録をしたかを判定し（ステップＳ３０３）、パターン登録をしなければ（ステップＳ３０３のＮＯ）、この処理を終了する。また、パターン登録をすれば（ステップＳ３０３のＹＥＳ）、終話設定処理を実行する（ステップＳ３０４）。この終話設定処理は、タッチ入力によるパターン登録が関係付けられているので、その終話設定処理には登録パターンと入力パターンとが合致することが必要である。
【０１０３】
次に、終話設定のためのパターン登録の処理について、図１９を参照する。図１９は、パターン登録の処理手順を示すフローチャートである。
【０１０４】
このパターン登録の処理手順は、機能ロック等の設定に際し、タッチパネル部５６に対するタッチ入力のパターンを登録する処理である。登録されたパターンは、ロック解除のためのユーザ認証の処理に用いられる。
【０１０５】
この処理手順は、図１９に示すように、タッチパネル部５６上の指が置かれたポイントを表すＸ軸及びＹ軸の位置情報を検出する（ステップＳ３１１）。ポイントの位置がどの範囲に該当するかを判断する（ステップＳ３１２）。指やタッチペンからの圧力を算出する（ステップＳ３１３）。ポイントの移動を監視する（ステップＳ３１４）。ポイントの移動があれば（ステップＳ３１４のＹＥＳ）、ポイントの位置距離移動より、そのポイント移動の加速度を算出する、又は、ポイントの移動速度を算出する（ステップＳ３１５）。
【０１０６】
そして、この場合、タッチ入力の位置情報、圧力、加速度によってパターンを生成させ（ステップＳ３１６）、このパターンをパターン登録部に登録し（ステップＳ３１７）、メインルーティン（図１８）のステップＳ３０２に戻る。そして、終話設定が実行される。
【０１０７】
次に、終話の処理について、図２０を参照する。図２０は、終話の処理手順を示すフローチャートである。
【０１０８】
この終話の処理手順は、終話情報として登録パターンが存在する場合の終話の処理である。
【０１０９】
この処理手順では、図２０に示すように、通話中であるかの判定を行い（ステップＳ３２１）、通話中でなければ（ステップＳ３２１のＮＯ）、この処理を終了する。通話中であれば（ステップＳ３２１のＹＥＳ）、終話のためにタッチ入力をする（ステップＳ３２２）。タッチ入力からパターンを認識する。即ち、タッチ入力から得られる既述の物理情報を判断要素としてタッチ入力のパターンを認識する。
【０１１０】
タッチ入力によって得られた入力パターンが登録パターンに合致するかの判定が行われる（ステップＳ３２３）。入力パターンが登録パターンに合致した場合には（ステップＳ３２３のＹＥＳ）、終話ロックが解除され（ステップＳ３２４）、終話処理が実行される（ステップＳ３２５）。入力パターンが登録パターンに合致しなければ（ステップＳ３２３のＮＯ）、終話ロックの解除不可となる（ステップＳ３２６）。この場合、入力パターンと登録パターンとの合致判定は、登録パターンに近似範囲を含んで判断してもよいことは既述の通りである。
【０１１１】
そこで、この終話の処理について、図２１を参照する。図２１は、ロック解除の具体的な処理手順の一例を示すフローチャートである。
【０１１２】
この処理手順では、終話処理の場合、図２１に示すように、タッチパネル部５６上に指やタッチペンの置かれたポイントの位置（Ｘ、Ｙ）を算出する（ステップＳ３３１）。入力パターンと登録パターンとの第１の判断として、ポイントの位置が座標範囲のどの部分に該当するかを判断する（ステップＳ３３２）。即ち、登録時のポイントの位置の前後左右の範囲に入るかどうかを判定する（ステップＳ３３３）。例えば、登録時がポイント９ｂ部分の場合、ポイント８ａ〜１０ａ、８ｂ〜１０ｂ、８ｃ〜１０ｃに当てはまるかを判定する。この判定において、ポイントの位置の座標範囲に該当しなければ（ステップＳ３３３のＮＯ）、終話不可となる（ステップＳ３３４）。
【０１１３】
この判定において、ポイントの位置の座標範囲に該当すれば（ステップＳ３３３のＹＥＳ）、入力パターンと登録パターンとの第２の判断として、圧力について、登録パターンと比較し、判定する（ステップＳ３３５）。例えば、登録時のポイントの圧力を○○〔Ｎ〕とすると、その圧力が所定の圧力範囲として例えば、○○〔Ｎ〕×０．８〜○○〔Ｎ〕×１．２の範囲にあるかを判定する。この圧力判定において、所定の圧力範囲に該当しなければ（ステップＳ３３６のＮＧ）、終話不可となる（ステップＳ３３７）。
【０１１４】
このような圧力判定が所定の圧力範囲にあれば（ステップＳ３３６のＯＫ）、ポイントの移動を監視し（ステップＳ３３８）、ポイントの移動があれば（ステップＳ３３８のＹＥＳ）、ポイントの位置距離移動から加速度を算出し、この加速度について、登録パターンと比較し、判定する（ステップＳ３３９）。例えば、登録時のポイントの加速度が△△〔ｃｍ／ｓ2 〕であれば、その加速度が所定の範囲として例えば、△△〔Ｎ〕×０．８〜△△〔Ｎ〕×１．２の範囲に該当するかを判定する（ステップＳ３４０）。この加速度が所定の範囲外であれば（ステップＳ３４０のＮＧ）、終話不可となる（ステップＳ３４１）。
【０１１５】
また、この加速度が所定の範囲内であれば（ステップＳ２４０のＯＫ）、終話ロック解除となり、終話処理が実行され（ステップＳ３４２）、この処理を終了する。
【０１１６】
このようにタッチ入力から得られる少なくとも２種類の物理情報を判断要素として認識されるパターンを用いることにより、終話処理又は終話不可とするので、ユーザの無意識の操作による終話を防止できる。
【０１１７】
〔第３の実施の形態〕
【０１１８】
第３の実施の形態は、タッチ入力から得られる５種の物理情報を判断要素としてタッチ入力のパターンを認識し、その登録パターン又はその近傍範囲に入力パターンが合致するか否かを判定する機能を有する。
【０１１９】
この第３の実施の形態について、図２２を参照する。図２２は、ロック設定の処理手順を示すフローチャートである。図２２に示す構成は一例であって、本発明は斯かる構成に限定されるものではない。
【０１２０】
この処理手順は、第２の実施の形態と同様に、携帯端末装置についてのロック設定であって、本開示の電子機器、操作検出方法又は操作検出プログラムの一例である。この実施の形態においても、図３に示す機能部、図４に示すハードウェア構成が用いられる。
【０１２１】
この処理手順では、タッチ入力から得られる既述の物理情報として、タッチ入力のポイント数、ポイントの位置、ポイントの加速度、移動する角度、圧力の５種の判断要素が用いられている。即ち、この処理手順では、図２２に示すように、ロック設定の判断（ステップＳ４０１）、タッチ入力（ステップＳ４０２、Ｓ４０３、Ｓ４０４、Ｓ４０５、Ｓ４０６）、パターン登録（ステップＳ４０７）及びロック設定（ステップＳ４０８）が含まれている。
【０１２２】
そこで、この処理手順では、ロック設定をするかの判断が行われ（ステップＳ４０１）、ロック設定をしない場合には（ステップＳ４０１のＮＯ）、この処理を終了する。ロック設定の場合には（ステップＳ４０１のＹＥＳ）、タッチ入力に移行する。第１のタッチ入力として、タッチパネル部５６（図４、図５）上の最初に指が置かれたポイント数を検出し、タッチ入力の判断要素としてポイント数を求める（ステップＳ４０２）。
【０１２３】
次に、第２のタッチ入力として、タッチパネル部５６（図４）上のポイントの位置を検出し、タッチ入力の判断要素としてその位置情報（Ｘ，Ｙ）を求める（ステップＳ４０３）。
【０１２４】
次に、第３のタッチ入力として、ポイントが移動する加速度を検出し、タッチ入力の判断要素として加速度を求める（ステップＳ４０４）。
【０１２５】
次に、第４のタッチ入力として、ポイントが移動する角度を検出し、タッチ入力の判断要素として角度を求める（ステップＳ４０５）。
【０１２６】
次に、第５のタッチ入力として、指でタッチパネル部５６（図６）を押す圧力の変化を検出し、タッチ入力の判断要素として圧力変化を求める（ステップＳ４０６）。
【０１２７】
このように、ポイント数、位置、加速度、角度、圧力変化の５種の物理情報を判断要素に用いてパターンを生成し、このパターンをデータ記憶部７４（図４）に設定されたパターン登録部に登録する（ステップＳ４０７）。
【０１２８】
このパターン登録の後、ロック設定を実行する（ステップＳ４０８）。パターン登録とともに実行されたロック設定は、登録パターンに合致する入力パターンがなければ、そのロック解除をすることができない。
【０１２９】
このロック設定に用いられるタッチ入力について、図２３及び図２４を参照する。図２３は、入力操作を示す図、図２４は、タッチ入力を表す図である。
【０１３０】
携帯端末装置２０において、人が無意識に操作しないタッチ入力として例えば、図２３に示すように、タッチパネル部５６の上部左側に人指し指１０２、その下部右側に親指１０４の先端を接触させる。その接触状態を維持しながら人指し指１０２を矢印ａ、親指１０４を矢印ｂに旋回させる。このようなタッチ入力によれば、離間した２か所のポイント、その移動による判断要素が得られる。
【０１３１】
この携帯端末装置２０のタッチパネル部５６には、図２４に示すように、Ｘ軸方向に０ないし６０の検出ポイントが設定され、Ｙ軸方向に０ないし９０の検出ポイントが設定されている。Ａ点、Ａ’点及び矢印ａは人指し指１０２の押圧点及びその移動軌跡、Ｂ点、Ｂ’点及び矢印ｂは親指１０４の押圧点及びその移動軌跡を示している。この場合、Ａ→Ａ’の位置情報として、Ａ→Ａ’＝｛ＸA （＝１０），ＹA （＝２５）｝→｛ＸA ’（＝５０），ＹA ’（＝２５）｝が得られる。Ｂ→Ｂ’の位置情報として、Ｂ→Ｂ’＝｛ＸB （＝５０），ＹB （＝６５）｝→｛ＸB ’（＝１０），ＹB ’（＝６５）｝が得られる。
【０１３２】
ロック設定に用いられる他のタッチ入力について、図２５及び図２６を参照する。図２５は、他のタッチ入力を表す図、図２６は、他の入力操作を示す図である。
【０１３３】
携帯端末装置２０において、人が無意識に操作しないタッチ入力として例えば、図２５に示すように、タッチパネル部５６の上部右側に人指し指１０２の先端を接触させ、その接触状態を維持しながら人指し指１０２を日本語の仮名文字「の」を描くように移動する。このようなタッチ入力によれば、一筆書きのストローク８６（図８）によるタッチ入力の判断要素が得られる。
【０１３４】
このタッチ入力では、タッチパネル部５６に図２６に示すように、Ｘ軸方向に０ないし６０の検出ポイントが設定され、Ｙ軸方向に０ないし９０の検出ポイントが設定され、これら検出ポイントから位置情報が得られる。この場合、始点をＣ点、終点をＤ点とすれば、Ｃ→Ｄの位置情報として、Ｃ→Ｄ＝｛ＸC （＝５０），ＹC （＝２５）｝→｛ＸD （＝１０），ＹD （＝６５）｝が得られる。
【０１３５】
タッチ入力の判断要素について、図２７、図２８及び図２９を参照する。図２７は、タッチ入力の加速度変化を示す図、図２８は、タッチ入力の角度範囲を示す図、図２９は、タッチ入力の圧力変化を示す図である。
【０１３６】
タッチ入力の始点１０６から終点１０８の間には、例えば、図２７に示すように、時間とともに変化する加速度が検出される。この加速度は、１つの物理情報であって、タッチ入力の判断要素に用いることができる。
【０１３７】
タッチ入力の角度θは、例えば、図２８に示すように、タッチ入力の判断要素として求めることができる。この場合、タッチパネル部５６に設定したＸ軸とＹ軸の交点を基準点にし、タッチ入力の既述のＡ点、Ａ’点の成す角度θが求められる。この場合、Ａ点、Ａ’点の成す角度θ＝３５〔°〕である。
【０１３８】
また、タッチ入力の始点１０６から終点１０８の間には、例えば、図２９に示すように、時間とともに変化する圧力が検出される。この圧力変化は、１つの物理情報であって、タッチ入力の判断要素に用いることができる。
【０１３９】
他のタッチ入力について、図３０及び図３１を参照する。図３０は、他の入力操作を示す図、図３１は、他のタッチ入力を表す図である。
【０１４０】
タッチ入力としてポイントの移動（図２３、図２４）、ストローク（図２５、図２６）を例示したが、これに限定されない。タッチ入力は文字入力であってもよい。図３０に示すように、例えば、タッチパネル部５６に人指し指１０２を接触させてアルファベットの「ＯＮ」を描いてもよく、この文字「ＯＮ」は、図３１に示すように、タッチ入力の判断要素としてタッチパネル部５６のＸ軸及びＹ軸上の位置情報が得られる。
【０１４１】
以上の構成では、一つのストローク等、単一の操作によるタッチ入力からポイント数、位置、加速度、移動する角度、圧力の変化等の複数の物理情報を取得することができる。その結果、５種類の物理情報の組み合わせを得て、これらの組み合わせを例えば、論理積によってタッチ入力のパターンを生成させることができる。また、複数の物理情報を取得すれば、その物理情報から任意のものを２種類以上選択し、パターンを生成させることができる。
【０１４２】
次に、ロック解除について、図３２は、ロック解除の処理手順を示すフローチャートである。
【０１４３】
この処理手順では、既述のロック設定（図２２）に対応するロック解除の処理である。この処理手順では、ロック設定が既述の通り、タッチ入力で得られる既述の物理情報として、タッチ入力のポイント数、ポイントの位置、ポイントの加速度、移動する角度、圧力の５種の判断要素が用いられている。そこで、この処理手順では、図３２に示すように、ロック解除の判断（ステップＳ４１１）、タッチ入力（ステップＳ４１２、Ｓ４１３、Ｓ４１４、Ｓ４１５、Ｓ４１６）、パターン判定（ステップＳ４１７）及びロック解除の可不可（ステップＳ４１８、Ｓ４１９）が含まれている。
【０１４４】
そこで、この処理手順では、ロック解除をするかの判断が行われ（ステップＳ４１１）、ロック解除をしない場合には（ステップＳ４１１のＮＯ）、この処理を終了する。ロック解除の場合には（ステップＳ４１１のＹＥＳ）、タッチ入力に移行する。第１のタッチ入力として、タッチパネル部５６（図４、図５）上の最初に指が置かれたポイント数を検出し、タッチ入力の判断要素としてポイント数を求める（ステップＳ４１２）。
【０１４５】
次に、第２のタッチ入力として、タッチパネル部５６（図４）上のポイントの位置を検出し、タッチ入力の判断要素としてその位置情報（Ｘ，Ｙ）を求める（ステップＳ４１３）。
【０１４６】
次に、第３のタッチ入力として、ポイントが移動する加速度を検出し、タッチ入力の判断要素として加速度を求める（ステップＳ４１４）。
【０１４７】
次に、第４のタッチ入力として、ポイントが移動する角度を検出し、タッチ入力の判断要素として角度を求める（ステップＳ４１５）。
【０１４８】
次に、第５のタッチ入力として、指でタッチパネル部５６（図６）を押す圧力の変化を検出し、タッチ入力の判断要素として圧力変化を求める（ステップＳ４１６）。
【０１４９】
このように、ポイント数、位置、加速度、角度、圧力変化の５種の物理情報を判断要素に用いてパターンを生成し、この入力パターンがデータ記憶部７４（図４）にある登録パターンに合致するかの判定を行う（ステップＳ４１７）。
【０１５０】
このパターン判定の後、入力パターンが登録パターンに合致すれば（ステップＳ４１７のＹＥＳ）、ロック解除を実行する（ステップＳ４１８）。入力パターンが登録パターンに合致しなければ（ステップＳ４１７のＮＯ）、ロック解除不可となる（ステップＳ４１９）。
【０１５１】
以上の構成では、物理情報としてタッチ入力のポイント数、位置、加速度、移動する角度、圧力の変化を検出し、これらの論理積によってタッチ入力のパターンを認識し、それを登録している。それぞれが特徴的な物理情報であって、これらの複数の論理積でパターンを生成させている。このため、登録パターンと入力パターンとの判定精度が高められ、ユーザの無意識によるタッチ入力を排除することができ、誤動作を防止できる。
【０１５２】
〔第４の実施の形態〕
【０１５３】
第４の実施の形態は、終話処理を終話ロックの解除の後、表示画面から終話を選択することを条件とすることにより、通話中にユーザの意図しない終話を防止する構成である。
【０１５４】
この第４の実施の形態について、図３３、図３４及び図３５を参照する。図３３は、終話の処理手順を示すフローチャート、図３４は、終話時の問い合わせ表示及び選択ボタンの表示例を示す図、図３５は、終話の表示例を示す図である。
【０１５５】
この終話処理の処理手順は、本開示の電子機器、操作検出方法又は操作検出プログラムの一例である。この実施の形態においても、図３に示す機能部、図４に示すハードウェア構成が用いられる。
【０１５６】
この処理手順には、通話開始による通話ロック（ステップＳ５０１）、通話ロックの解除（ステップＳ５０２、Ｓ５０３、Ｓ５０４、Ｓ５０５）、終話処理（ステップＳ５０６、Ｓ５０７）が含まれる。
【０１５７】
そこで、この処理手順では、図３３に示すように、通話開始によりその通話がロックされる（ステップＳ５０１）。このロック設定は、例えば、第２の実施の形態のロック設定（図１４、図１５）で行えばよい。
【０１５８】
通話中、ロック解除の監視状態が維持される（ステップＳ５０２、ステップＳ５０２のＮＯ）。ロック解除であれば（ステップＳ５０２のＹＥＳ）、ユーザがタッチ入力を行う（ステップＳ５０３）。このタッチ入力は、ユーザが無意識で行わない操作による入力であり、既述の通り、このタッチ入力から入力パターンが認識され、この入力パターンが登録パターンに合致するかが判定される（ステップＳ５０４）。入力パターンが登録パターンに合致しなければ（ステップＳ５０４のＮＯ）、ロックが維持されるので、再度タッチ入力が必要である（ステップＳ５０３）。
【０１５９】
入力パターンが登録パターンに合致すれば（ステップＳ５０４のＹＥＳ）、ロックが解除される（ステップＳ５０５）。ロックが解除されると、終話操作が求められ（ステップＳ５０６）、その操作により終話となり（ステップＳ５０７）、この処理を終了する。
【０１６０】
終話操作（ステップＳ５０６）は、図３４に示すように、表示制御により、表示部４８に終話操作の問い合わせメッセージ１１０及び選択ボタン１１２、１１４を表示する。メッセージ１１０は例えば、「通話を終了しますか？」を表示する。選択ボタン１１２は、終話「ＹＥＳ」を指示するボタンであり、選択ボタン１１４は終話拒否「ＮＯ」を指示するボタンである。
【０１６１】
そこで、ユーザが選択ボタン１１２をタッチすれば、そのタッチ入力により終話処理となる。また、選択ボタン１１４をタッチすれば、そのタッチ入力により終話拒否となり、通話が維持される。
【０１６２】
そして、終話処理が実行されると、図３５に示すように、表示制御により、表示部４８には、終話を告知するメッセージ１１６が表示される。このメッセージ１１６は例えば、「通話を終了しました」を表示する。この結果、ユーザは終話に移行したことを知ることができる。
【０１６３】
斯かる構成によれば、ロック解除の後、終話処理の問い合わせがあるので、ロック解除をユーザが知ることができ、しかも、ロック解除を認識した上で操作により終話することができる。ユーザの無意識な操作や、不用意な操作によって予定しない終話を防止できる。
【０１６４】
〔第５の実施の形態〕
【０１６５】
第５の実施の形態は、プログラム記憶部７２（図４）にあるアプリケーションプログラム（アプリ）の起動にタッチ入力のパターン判定を用いる構成である。
【０１６６】
この第５の実施の形態について、図３６、図３７、図３８及び図３９を参照する。図３６は、アプリの起動設定の処理手順を示すフローチャート、図３７は、パターン登録の処理手順を示すフローチャート、図３８は、アプリケーションの起動の処理手順を示すフローチャート、図３９は、アプリケーションの起動の具体的な処理手順を示すフローチャートである。この実施の形態においても、既述の図３に示す機能部、図４に示すハードウェア構成が用いられる。
【０１６７】
このアプリの起動設定の処理手順は、本開示の電子機器、操作検出方法又は操作検出プログラムの一例である。この処理手順では、アプリ起動設定にタッチパネル部５６に対するタッチ入力から得られる既述の物理情報を判断要素を用いることにより、タッチ入力のパターンを認識し、その登録パターンをアプリ起動情報として設定する。
【０１６８】
そこで、この処理手順では、図３６に示すように、アプリ起動設定かを判定し（ステップＳ６０１）、アプリ起動設定でなければ（ステップＳ６０１のＮＯ）、この処理を終了する。
【０１６９】
アプリ起動設定であれば（ステップＳ６０１のＹＥＳ）、パターン登録モードを起動し、パターン登録を行う（ステップＳ６０２）。パターン登録をしたかを判定し（ステップＳ６０３）、パターン登録をしなければ（ステップＳ６０３のＮＯ）、この処理を終了する。また、パターン登録をすれば（ステップＳ６０３のＹＥＳ）、アプリ起動設定を実行する（ステップＳ６０４）。このアプリ起動設定は、タッチ入力によるパターン登録が関係付けられているので、そのアプリ起動には登録パターンと入力パターンとが合致することが必要である。
【０１７０】
このアプリ起動に用いるパターン登録の処理は、アプリ起動設定に際し、タッチパネル部５６に対するタッチ入力のパターンを登録する処理である。登録されたパターンは、アプリ起動のためのユーザ認証の処理に用いられる。
【０１７１】
そこで、この処理手順では、図３７に示すように、タッチパネル部５６上の指が置かれたポイントを表すＸ軸及びＹ軸の位置情報を検出する（ステップＳ６１１）。ポイントの位置がどの範囲に該当するかを判断する（ステップＳ６１２）。指やタッチペンからの圧力を算出する（ステップＳ６１３）。ポイントの移動を監視する（ステップＳ６１４）。ポイントの移動があれば（ステップＳ６１４のＹＥＳ）、ポイントの位置距離移動より、そのポイント移動の加速度を算出する、又は、ポイントの移動速度を算出する（ステップＳ６１５）。
【０１７２】
そして、この場合、タッチ入力の位置情報、圧力、加速度によってパターンを生成させ（ステップＳ６１６）、このパターンをパターン登録部に登録し（ステップＳ６１７）、メインルーティン（図３６）のステップＳ６０２に戻る。そして、アプリ起動設定が実行される。
【０１７３】
このようにアプリ起動設定が実行された後、アプリ起動の処理手順では、アプリ起動のため、タッチ入力によるパターン認識により、入力パターンが登録パターンに合致することが必要となる。
【０１７４】
そこで、このアプリ起動の処理手順では、図３８に示すように、アプリを起動するかの判定を行い（ステップＳ６２１）、アプリ起動でなければ（ステップＳ６２１のＮＯ）、この処理を終了する。アプリ起動であれば（ステップＳ６２１のＹＥＳ）、既述のタッチ入力を行う（ステップＳ６２２）。このタッチ入力から得られる既述の物理情報を判断要素としてタッチ入力のパターンを認識する。
【０１７５】
タッチ入力によって得られた入力パターンが登録パターンに合致するかの判定が行われる（ステップＳ６２３）。入力パターンが登録パターンに合致した場合には（ステップＳ６２３のＹＥＳ）、アプリ起動が実行され（ステップＳ６２４）、入力パターンが登録パターンに合致しなければ（ステップＳ６２３のＮＯ）、アプリ起動不可となる（ステップＳ６２５）。この場合、入力パターンと登録パターンとの合致判定は、登録パターンに近似範囲を含んで判断してもよいことは既述の通りである。
【０１７６】
そこで、このアプリ起動の具体的な処理手順では、図３９に示すように、アプリ起動であるかを監視し（ステップＳ６３１）、アプリ起動であれば、タッチ入力を行う。この場合、タッチパネル部５６上に指やタッチペンの置かれたポイントの位置（Ｘ、Ｙ）を算出する（ステップＳ６３２）。この場合、入力パターンが登録パターンに合致するかの第１の判断として、ポイントの位置が座標範囲のどの部分に該当するかを判断する（ステップＳ６３３）。即ち、登録時のポイントの位置の前後左右の範囲に入るかどうかを判定する（ステップＳ６３４）。例えば、登録時がポイント９ｂ部分の場合、ポイント８ａ〜１０ａ、８ｂ〜１０ｂ、８ｃ〜１０ｃに当てはまるかを判定する。この判定において、ポイントの位置の座標範囲に該当しなければ（ステップＳ６３４のＮＯ）、アプリ起動不可となる（ステップＳ６３５）。
【０１７７】
この判定において、ポイントの位置の座標範囲に該当すれば（ステップＳ６３４のＹＥＳ）、入力パターンが登録パターンに合致するかの第２の判断として、圧力について、登録パターンと比較し、判定する（ステップＳ６３６）。例えば、登録時のポイントの圧力を○○〔Ｎ〕とすると、その圧力が所定の圧力範囲として例えば、○○〔Ｎ〕×０．８〜○○〔Ｎ〕×１．２の範囲にあるかを判定する。この圧力判定において、所定の圧力範囲に該当しなければ（ステップＳ６３７のＮＧ）、アプリ起動不可となる（ステップＳ６３８）。
【０１７８】
このような圧力判定が所定の圧力範囲にあれば（ステップＳ６３７のＯＫ）、ポイントの移動を監視し（ステップＳ６３９）、ポイントの移動があれば（ステップＳ６３９のＹＥＳ）、ポイントの位置距離移動から加速度を算出し、この加速度について、登録パターンと比較し、判定する（ステップＳ６４０）。例えば、登録時のポイントの加速度が△△〔ｃｍ／ｓ2 〕であれば、その加速度が所定の範囲として例えば、△△〔Ｎ〕×０．８〜△△〔Ｎ〕×１．２の範囲に該当するかを判定する（ステップＳ６４１）。この加速度が所定の範囲外であれば（ステップＳ６４１のＮＧ）、アプリ起動不可となる（ステップＳ６４２）。
【０１７９】
また、この加速度が所定の範囲内であれば（ステップＳ６４１のＯＫ）、アプリ起動が実行される（ステップＳ６４３）。
【０１８０】
このようにタッチ入力から得られる少なくとも２種類の物理情報を判断要素として認識されるパターンを用いることにより、アプリ起動を許可するので、入力パターンが登録パターンに合致しない場合のアプリ起動を防止できる。また、自由な起動からアプリを防護でき、セキュリティを高めることができる。
【０１８１】
〔第６の実施の形態〕
【０１８２】
第６の実施の形態は、ネットワーク通信機能によるウェブサイトへのログインにタッチ入力のパターン判定を用いる構成である。
【０１８３】
この第６の実施の形態について、図４０、図４１、図４２及び図４３を参照する。図４０は、ウェブサイトへのログイン設定の処理手順を示すフローチャート、図４１は、パターン登録の処理手順を示すフローチャート、図４２は、ウェブサイトへのログインの処理手順を示すフローチャート、図４３は、ウェブサイトへのログインの具体的な処理手順を示すフローチャートである。
【０１８４】
このウェブサイトへのログイン設定の処理手順は、本開示の電子機器、操作検出方法又は操作検出プログラムの一例である。この処理手順では、ログイン設定にタッチパネル部５６に対するタッチ入力から得られる既述の物理情報を判断要素としてタッチ入力のパターンを認識し、その登録パターンをログイン情報として設定する。
【０１８５】
そこで、この処理手順では、図４０に示すように、ログイン設定かを判定し（ステップＳ７０１）、ログイン設定でなければ（ステップＳ７０１のＮＯ）、この処理を終了する。
【０１８６】
ログイン設定であれば（ステップＳ７０１のＹＥＳ）、パターン登録モードを起動し、パターン登録を行う（ステップＳ７０２）。パターンを登録したかを判定し（ステップＳ７０３）、パターン登録をしなければ（ステップＳ７０３のＮＯ）、この処理を終了する。また、パターン登録をすれば（ステップＳ７０３のＹＥＳ）、ログイン設定を実行する（ステップＳ７０４）。このログイン設定は、タッチ入力によるパターン登録が関係付けられているので、ウェブサイトへのログインには登録パターンと入力パターンとが合致することが必要である。
【０１８７】
このログインに用いるパターン登録の処理は、ログイン設定に際し、タッチパネル部５６に対するタッチ入力のパターンを登録する処理である。登録されたパターンは、ログインのためのユーザ認証の処理に用いられる。
【０１８８】
そこで、この処理手順では、図４１に示すように、タッチパネル部５６上の指が置かれたポイントを表すＸ軸及びＹ軸の位置情報を検出する（ステップＳ７１１）。ポイントの位置が座標範囲のどの部分に該当するかを判断する（ステップＳ７１２）。指やタッチペンからの圧力を算出する（ステップＳ７１３）。ポイントの移動を監視する（ステップＳ７１４）。ポイントの移動があれば（ステップＳ７１４のＹＥＳ）、ポイントの位置距離移動より、そのポイント移動の加速度を算出する、又は、ポイントの移動速度を算出する（ステップＳ７１５）。
【０１８９】
そして、この場合、タッチ入力の位置情報、圧力、加速度によってパターンを生成させ（ステップＳ７１６）、このパターンをパターン登録部に登録し（ステップＳ７１７）、メインルーティン（図４０）のステップＳ７０２に戻る。そして、ログイン設定が実行される。
【０１９０】
このようにログイン設定が実行された後、ログインの処理手順では、ログインのため、タッチ入力によるパターン認識により、入力パターンが登録パターンに合致することが必要となる。
【０１９１】
そこで、このログインの処理手順では、図４２に示すように、ログインであるかの判定を行い（ステップＳ７２１）、ログインでなければ（ステップＳ７２１のＮＯ）、この処理を終了する。ログインであれば（ステップＳ７２１のＹＥＳ）、既述のタッチ入力を行う（ステップＳ７２２）。このタッチ入力から得られる既述の物理情報を判断要素としてタッチ入力のパターンを認識する。
【０１９２】
タッチ入力によって得られた入力パターンが登録パターンに合致するかの判定が行われる（ステップＳ７２３）。入力パターンが登録パターンに合致した場合には（ステップＳ７２３のＹＥＳ）、ログインが実行され（ステップＳ７２４）、入力パターンが登録パターンに合致しなければ（ステップＳ７２３のＮＯ）、ログイン不可となる（ステップＳ７２５）。この場合、入力パターンと登録パターンとの合致判定は、登録パターンに近似範囲を含んで判断してもよいことは既述の通りである。
【０１９３】
そこで、このログインの具体的な処理手順では、図４３に示すように、ログインであるかを監視し（ステップＳ７３１）、ログインであれば、タッチ入力を行う。この場合、タッチパネル部５６上に指やタッチペンの置かれたポイントの位置（Ｘ、Ｙ）を算出する（ステップＳ７３２）。この場合、入力パターンが登録パターンに合致するかの第１の判断として、ポイントの位置が座標範囲のどの部分に該当するかを判断する（ステップＳ７３３）。即ち、登録時のポイントの位置の前後左右の範囲に入るかどうかを判定する（ステップＳ７３４）。例えば、登録時がポイント９ｂ部分の場合、ポイント８ａ〜１０ａ、８ｂ〜１０ｂ、８ｃ〜１０ｃに当てはまるかを判定する。この判定において、ポイントの位置の座標範囲に該当しなければ（ステップＳ７３４のＮＯ）、サイトへのログイン不可となる（ステップＳ７３５）。
【０１９４】
この判定において、ポイントの位置の座標範囲に該当すれば（ステップＳ７３４のＹＥＳ）、入力パターンが登録パターンに合致するかの第２の判断として、圧力について、登録パターンと比較し、判定する（ステップＳ７３６）。例えば、登録時のポイントの圧力を○○〔Ｎ〕とすると、その圧力が所定の圧力範囲として例えば、○○〔Ｎ〕×０．８〜○○〔Ｎ〕×１．２の範囲にあるかを判定する。この圧力判定において、所定の圧力範囲に該当しなければ（ステップＳ７３７のＮＧ）、ログイン不可となる（ステップＳ７３８）。
【０１９５】
このような圧力判定が所定の圧力範囲にあれば（ステップＳ７３７のＯＫ）、ポイントの移動を監視し（ステップＳ７３９）、ポイントの移動があれば（ステップＳ７３９のＹＥＳ）、ポイントの位置距離移動から加速度を算出し、この加速度について、登録パターンと比較し、判定する（ステップＳ７４０）。例えば、登録時のポイントの加速度が△△〔ｃｍ／ｓ2 〕であれば、その加速度が所定の範囲として例えば、△△〔Ｎ〕×０．８〜△△〔Ｎ〕×１．２の範囲に該当するかを判定する（ステップＳ７４１）。この加速度が所定の範囲外であれば（ステップＳ７４１のＮＧ）、ログイン不可となる（ステップＳ７４２）。
【０１９６】
また、この加速度が所定の範囲内であれば（ステップＳ７４１のＯＫ）、ログインが実行される（ステップＳ７４３）。
【０１９７】
このようにタッチ入力から得られる少なくとも２種類の物理情報を判断要素として認識されるパターンを用いることにより、ログインを許可するので、入力パターンが登録パターンに合致しない場合のログインを防止できる。また、自由なログインを阻止でき、セキュリティを高めることができる。
【０１９８】
〔第７の実施の形態〕
【０１９９】
第７の実施の形態は、既存の登録パターンの共用か又は新たなパターンの登録かを選択する処理である。
【０２００】
この実施の形態について、図４４を参照する。図４４は、ロック設定の処理手順を示すフローチャートである。
【０２０１】
この実施の形態では、ロック設定として、登録パターンの共用か新たなパターン登録かの選択をする処理を併用しているが、このようなパターン登録はロック設定に限定されない。
【０２０２】
そこで、この処理手順では、図４４に示すように、ロック設定かを判定し（ステップＳ８０１）、ロック設定をしなければ、この処理を終了する。
【０２０３】
ロック設定であれば、既に登録されている登録パターンをロック解除に用いるかを判定する（ステップＳ８０２）。既存の登録パターンをロック解除に用いるのであれば（ステップＳ８０２のＹＥＳ）、ロック設定を実行し（ステップＳ８０３）、この処理を終了する。
【０２０４】
既存の登録パターンを用いない場合には（ステップＳ８０２のＮＯ）、新たにパターンを設定するかを判定する（ステップＳ８０４）。新たにパターンを設定しなければ（ステップＳ８０４のＮＯ）、この処理を終了する。
【０２０５】
新たにパターンを設定する場合には（ステップＳ８０４のＹＥＳ）、パターン登録を実行する（ステップＳ８０５）。パターン登録は上記実施の形態に記載の通りであるから、その説明を省略する。
【０２０６】
〔比較例〕
【０２０７】
比較例は、タッチパネル部に誤動作防止ロックを備える携帯端末装置にあって、終話時に終話ボタンを操作する構成である。
【０２０８】
この比較例について、図４５及び図４６を参照する。図４５は、携帯端末装置の比較例を示す図、図４６は、終話の処理手順を示すフローチャートである。
【０２０９】
この携帯端末装置２２０は図４５に示すように、筐体２７８の前面部に表示部２４８とともにタッチパネル部２５６が設置されている。筐体２７８には表示部２４８を挟んでマイクロフォン２６６及びロックキー１１８と、レシーバ２６８とが設置され、タッチパネル部２５６には終話ボタン１２０が設置されている。終話ボタン１２０は、ロックキー１１８の押下によってタッチパネルロック解除の後、操作が有効になり、終話操作が行える。
【０２１０】
そこで、この携帯端末装置２２０の終話の処理手順では、図４６に示すように、通話を判定し（ステップＳ９０１）、通話中でなければ（ステップＳ９０１のＮＯ）、この処理を終了する。
【０２１１】
通話中であれば（ステップＳ９０１のＹＥＳ）、タッチパネル部２５６の誤動作防止動作を開始する。即ち、ユーザが携帯端末装置２２０を耳に当てると、タッチパネル部２５６でそれを検知し、タッチパネルロックを設定する（ステップＳ９０２）。このタッチパネルロックは、不用意なタッチ入力による終話を防止するため、タッチパネル部２５６に対するタッチ入力を阻止する処理である。この場合、終話ボタン１２０の操作は無効となる。
【０２１２】
終話のため、ロックキー１１８を押下し（ステップＳ９０３）、ロックを解除する（ステップＳ９０４）。このロック解除により、タッチパネル部２５６のタッチ入力及び終話ボタン１２０の操作が有効となる。
【０２１３】
そこで、終話ボタン１２０を選択し（ステップＳ９０５）、それを押下すると、終話となる（ステップＳ９０６）。
【０２１４】
斯かる構成では、ロックキー１１８が通話中に不用意に操作されると、タッチパネル部２５６が有効となり、ユーザの予期しない終話を生起させるおそれがある。また、タッチパネルロックが自動化されていても、その解除を容易に行えるため、多重操作では誤動作を回避できない不都合がある。このような課題は上記実施の形態又は後述の他の実施の形態においても解決され、利便性の高い携帯端末装置が実現されている。しかも、上記実施の形態によれば、ロック解除ボタンの設置が不要であり、機械的なスイッチや制御を省略することができ、携帯端末装置のコンパクト化、シンプル化に寄与する。
【０２１５】
〔他の実施の形態〕
【０２１６】
(1) 上記実施の形態では、タッチ入力から得られる少なくとも２種類の物理情報を判断要素としてタッチ入力のパターンを認識している。物理情報として、タッチ入力のポイント数、位置、速度、加速度、角度、圧力、角速度を例示しているが、これに限定されない。そこで、物理情報としては、これらの何れか又はこれらの何れかを含んでもよい。
【０２１７】
(2) パターン認識は、２種類以上の物理情報の論理積を判断要素とすればよい。一例として、タッチ位置、加速度の論理積（第２の実施の形態：図１１）、タッチポイントの数、その位置、加速度、角度及び圧力の変化の論理積（第３の実施の形態：図２２、第４の実施の形態：図３２）を例示したが、これに限定されない。物理情報の論理積は、種類の異なる物理情報を組み合わせ、その物理情報も少なくとも２種類であればよく、３種類以上を組み合わせ、論理積によってパターンを生成させてもよい。
【０２１８】
(3) 上記実施の形態では、加速度センサ部６０を備えているが、これに限定されない。単位時間当たりのタッチ位置の移動から速度を求め、この速度を微分して加速度を算出する構成としてもよい。
【０２１９】
(4) 上記実施の形態では、角速度センサ部６４は、携帯端末装置２０の角速度を検出しているが、これに限定されない。携帯端末装置２０の移動を検出するセンサを備え、そのセンサ出力から角速度を算出してもよい。また、携帯端末装置２０の角速度に代え、タッチパネル部５６に対するタッチ位置の角速度を算出し、これを物理情報としてもよい。
【０２２０】
(5) 上記実施の形態では、電子機器の一例として、携帯端末装置２０を例示したが、本開示の電子機器はこれに限定されない。タッチ入力が可能な電子機器であればよい。例えば、パーソナルコンピュータ（ＰＣ）３２０（図４７）、折畳み可能な携帯電話機４２０（図４８）、リモートコントローラ５２０（図４９）であってもよいし、タッチ入力が可能な電子機器であれば、ゲーム機器や、自動車のエンジン起動装置であってもよい。
【０２２１】
(6) ＰＣ３２０は、図４７に示すように、キーボード側筐体部３２２と、表示側筐体部３２４とがヒンジ部３２６によって折畳み可能に構成され、表示側筐体部３２４には、表示部４８とともにタッチパネル部５６が設定されている。タッチパネル部５６は、上記実施の形態に準じて構成され、タッチ入力から既述の処理でパターン認識やパターン登録が可能である。このため、このＰＣ３２０においても、上記実施の形態と同様の機能を実現し、その効果を得ることができる。
【０２２２】
(7) 携帯電話機４２０は、電子機器又は既述の携帯端末装置２０の一例であって、図４８に示すように、操作側筐体部４２２と、表示側筐体部４２４とがヒンジ部４２６によって折畳み可能に構成され、表示側筐体部４２４には、表示部４８とともにタッチパネル部５６が設定されている。タッチパネル部５６は、上記実施の形態に準じて構成され、タッチ入力から既述の処理でパターン認識やパターン登録が可能である。このため、この携帯電話機４２０においても、上記実施の形態と同様の機能を実現し、その効果を得ることができる。この場合、キーパッド４２８は、既述の入力部４６（図４）に含まれる。
【０２２３】
(8) リモートコントローラ５２０は、図４９に示すように、テレビジョン受信機等、各種の電子機器５２２を電波や音波を用いて遠隔操作する手段である。このようなリモートコントローラ５２０にも、本開示の電子機器又は携帯端末装置について述べた機能を搭載させ、同様の機能や効果を得ることができる。
【０２２４】
(9) 自動車のエンジン起動装置に本開示の機能を搭載すれば、ユーザのみが登録したパターンに合致する入力パターンにより、エンジンを起動させることができ、セキュリティを高めることができる。
【０２２５】
(10)  上記実施の形態では、ポイントの圧力〔Ｎ〕を例示（図１７、図２１、図３９、図４３）しているが、これに限定されない。ポイントの圧力にはポイントに作用する力を面積で除して求められる圧力〔Ｐａ〕を用いてもよい。
【０２２６】
以上述べたように、本開示の電子機器、操作検出方法又は操作検出プログラムの実施の形態等について説明したが、本発明は、上記記載に限定されるものではない。請求の範囲に記載され、又は明細書に開示された発明の要旨に基づき、当業者において様々な変形や変更が可能であることは勿論である。斯かる変形や変更が、本発明の範囲に含まれることは言うまでもない。
【産業上の利用可能性】
【０２２７】
本開示の電子機器、操作検出方法又は操作検出プログラムは、タッチ入力から得られる少なくとも２種類の物理情報を判断要素としてパターンを認識し、そのパターン登録や入力パターンの判定を行っている。従って、タッチ入力部を備える機器の利便性が高められ、有用である。
【符号の説明】
【０２２８】
２  電子機器
４  タッチ入力部
６  パターン認識部
８  パターン登録部
１０  パターン判定部
４０  ロック制御部
４２  プロセッサ（アプリケーション起動部）
４４  センサ部
５２  通信部（終話機能部、ログイン機能部）
５４  記憶部
５６  タッチパネル部
５８  圧力センサ部
６０  加速度センサ部
６２  位置センサ部
６４  角速度センサ部
７２  プログラム記憶部
７４  データ記憶部
【図１】
2011077525.tif 000003
【図２】
2011077525.tif 000004
【図３】
2011077525.tif 000005
【図４】
2011077525.tif 000006
【図５】
2011077525.tif 000007
【図６】
2011077525.tif 000008
【図７】
2011077525.tif 000009
【図８】
2011077525.tif 000010
【図９】
2011077525.tif 000011
【図１０】
2011077525.tif 000012
【図１１】
2011077525.tif 000013
【図１２】
2011077525.tif 000014
【図１３】
2011077525.tif 000015
【図１４】
2011077525.tif 000016
【図１５】
2011077525.tif 000017
【図１６】
2011077525.tif 000018
【図１７】
2011077525.tif 000019
【図１８】
2011077525.tif 000020
【図１９】
2011077525.tif 000021
【図２０】
2011077525.tif 000022
【図２１】
2011077525.tif 000023
【図２２】
2011077525.tif 000024
【図２３】
2011077525.tif 000025
【図２４】
2011077525.tif 000026
【図２５】
2011077525.tif 000027
【図２６】
2011077525.tif 000028
【図２７】
2011077525.tif 000029
【図２８】
2011077525.tif 000030
【図２９】
2011077525.tif 000031
【図３０】
2011077525.tif 000032
【図３１】
2011077525.tif 000033
【図３２】
2011077525.tif 000034
【図３３】
2011077525.tif 000035
【図３４】
2011077525.tif 000036
【図３５】
2011077525.tif 000037
【図３６】
2011077525.tif 000038
【図３７】
2011077525.tif 000039
【図３８】
2011077525.tif 000040
【図３９】
2011077525.tif 000041
【図４０】
2011077525.tif 000042
【図４１】
2011077525.tif 000043
【図４２】
2011077525.tif 000044
【図４３】
2011077525.tif 000045
【図４４】
2011077525.tif 000046
【図４５】
2011077525.tif 000047
【図４６】
2011077525.tif 000048
【図４７】
2011077525.tif 000049
【図４８】
2011077525.tif 000050
【図４９】
2011077525.tif 000051
【国際調査報告】
2011077525.tif 000052
2011077525.tif 000053
2011077525.tif 000054
2011077525.tif 000055
2011077525.tif 000056
2011077525.tif 000057
2011077525.tif 000058